(57)【要約】【課題】外針基にフラッシュバックの血液が残り難い留置針を提供する。【解決手段】留置針１には、外針基３内に基端位置から先端位置へと前進可能な内筒部材６が配置され、外針基３の内周面には、小径部７と、大径部８とが設けられ、内筒部材６には第１貫通孔１７、第２貫通孔１８、通気フィルタ１４が設けられる。内筒部材６が基端位置に位置するときには、小径部７によって第２貫通孔１８と大径部８との連通が阻止されるように、第２貫通孔１８が位置しており、内筒部材６が先端位置に位置するときには、第２貫通孔１８と大径部８とが連通し、外針基３の基端側から内筒部材６内に供給された液体が第２貫通孔１８、及び大径部８を通過して、外針２から供給可能となるように、第２貫通孔１８が位置している。【選択図】図５
2019088725.tif 000002
【特許請求の範囲】
【請求項１】
内針が挿通可能な外針と、
前記外針の基端に設けられた筒状の外針基と、
前記内針が挿通可能であり、且つ前記内針が抜かれた後に血液が前記外針基から漏れることを防止する止血弁と、を備える留置針であって、
前記外針基内に基端位置から先端位置へと前進可能な内筒部材が配置され、
前記止血弁は前記内筒部材に設けられ、
前記外針基の内周面には、小径部と、前記小径部の先端側に位置し前記小径部よりも大径の大径部とが設けられ、
前記内筒部材の外周面と内周面とを連通させる第１貫通孔及び第２貫通孔とが設けられ、
前記第２貫通孔は前記第１貫通孔に対して間隔を存して前記外針基の基端側に位置しており、
前記内筒部材には、前記第１貫通孔を介した血液の通過を阻止し、空気の通過を許容する通気フィルタが設けられ、
前記内筒部材が前記基端位置に位置するときには、前記外針基の内周面と前記内筒部材の外周面との間における前記第２貫通孔と前記大径部との連通が前記小径部によって阻止されるように、前記第２貫通孔が位置しており、且つ、前記第１貫通孔から前記大径部内の空気が前記通気フィルタを通過して前記外針基の外に排出自在となるように、前記第１貫通孔が位置しており、
前記内筒部材が前記先端位置に位置するときには、前記第２貫通孔と前記大径部とが連通し、前記外針基の基端側から前記内筒部材内に供給された液体が前記第２貫通孔、及び前記大径部を通過して、前記外針から供給可能となるように、前記第２貫通孔が位置していることを特徴とする留置針。
【請求項２】
請求項１に記載の留置針であって、
前記通気フィルタは、環状体で構成され、前記内筒部材内に挿入されて、前記第１貫通孔を内側から覆うものであることを特徴とする留置針。
【発明の詳細な説明】
【技術分野】
【０００１】
本発明は、逆止弁を備える留置針に関する。
【背景技術】
【０００２】
従来、内針を挿通可能な外針と、外針の基端に設けられた外針基と、切込部を有する弾性部材からなる止血弁と、止血弁と外針基の内周面との間に形成され外針基の内周面と止血弁とで画成される領域内の空気を外針基の外へ逃すための通気路と、を備える留置針が知られている（例えば、特許文献１参照）。
【０００３】
この留置針は、内針を止血弁の切込部を通し外針の中に挿通させた状態で、患者の血管に刺すと、外針及び外針基内に流れ込む血液（フラッシュバック）によって外針及び外針基内の空気が通気路から排出される。そして、外針基内に血液が流れ込むことにより外針が血管に刺し込まれたことを確認した後、内針を抜く。そして、輸液バッグに接続された輸液ラインのコネクタを外針基に接続して止血弁を開弁させて輸液や薬液などの液体を患者に供給する。
【先行技術文献】
【特許文献】
【０００４】
【特許文献１】特開２０１５−８０７０７号公報
【発明の概要】
【発明が解決しようとする課題】
【０００５】
従来の留置針では、患者に供給される液体は止血弁の切込部を開弁させて供給されるため、外針基の内周面（特に止血弁側）にフラッシュバックの血液が残ってしまう虞があり、血液の滞留による血栓の発生、又は雑菌の繁殖、血液が残っている外針基を視認した患者などに不快感を与えるなどの問題が生じる虞がある。
【０００６】
本発明は、以上の点に鑑み、外針基にフラッシュバックの血液が残り難い留置針を提供することを目的とする。
【課題を解決するための手段】
【０００７】
［１］上記目的を達成するため、本発明は、
内針が挿通可能な外針（例えば、実施形態の外針２。以下同一。）と、
前記外針の基端に設けられた筒状の外針基（例えば、実施形態の外針基３。以下同一。）と、
前記内針が挿通可能であり、且つ前記内針が抜かれた後に血液が前記外針基から漏れることを防止する止血弁（例えば、実施形態の止血弁４。以下同一。）と、を備える留置針（例えば、実施形態の留置針１。以下同一。）であって、
前記外針基内に基端位置から先端位置へと前進可能な内筒部材（例えば、実施形態の内筒部材６。以下同一。）が配置され、
前記止血弁は前記内筒部材に設けられ、
前記外針基の内周面には、小径部（例えば、実施形態の小径部７。以下同一。）と、前記小径部の先端側に位置し前記小径部よりも大径の大径部（例えば、実施形態の大径部８。以下同一。）とが設けられ、
前記内筒部材の外周面と内周面とを連通させる第１貫通孔（例えば、実施形態の第１貫通孔１７。以下同一。）及び第２貫通孔（例えば、実施形態の第２貫通孔１８。以下同一。）とが設けられ、
前記第２貫通孔は前記第１貫通孔に対して間隔を存して前記外針基の基端側に位置しており、
前記内筒部材には、前記第１貫通孔を介した血液の通過を阻止し、空気の通過を許容する通気フィルタ（例えば、実施形態の通気フィルタ１４。以下同一。）が設けられ、
前記内筒部材が前記基端位置に位置するときには、前記小径部によって前記第２貫通孔と前記大径部との連通が阻止されるように、前記第２貫通孔が位置しており、且つ、前記第１貫通孔から前記大径部内の空気が前記通気フィルタを通過して前記外針基の外に排出自在となるように、前記第１貫通孔が位置しており、
前記内筒部材が前記先端位置に位置するときには、前記第２貫通孔と前記大径部とが連通し、前記外針基の基端側から前記内筒部材内に供給された液体が前記第２貫通孔、及び前記大径部を通過して、前記外針から供給可能となるように、前記第２貫通孔が位置していることを特徴とする。
【０００８】
本発明によれば、内筒部材が基端位置に位置するときには、内筒部材に設けられた第２貫通孔は大径部と接続されておらず、止血弁によって血液が外針基からこぼれることを防止することができる。そして、輸液や薬液などの液体を患者に供給するときには、内筒部材を先端位置へ移動させることにより、内筒部材に設けられた第２貫通孔と大径部とが接続され、液体が内筒部材内、第２貫通孔及び大径部を介して止血弁の周りから外針を通過して患者に供給される。
【０００９】
したがって、従来の留置針のように弁体の切込部から液体が供給されず、止血弁の周りから液体が供給されることにより、外針基の内周面（特に止血弁側）に残り易いフラッシュバックの血液を患者に供給される液体とともに患者に戻すことができ、外針基にフラッシュバックの血液が残ることを抑制して、患者などへ不快感を与えることを抑制することができる。
【００１０】
［２］また、本発明においては、前記通気フィルタは、環状体で構成され、前記内筒部材内に挿入されて、前記第１貫通孔を内側から覆うことが好ましい。
【００１１】
通気フィルタの取り付け方法としては、第１貫通孔に通気フィルタを挿入するなどの様々な取り付け方法が考えられるが、上述したように、通気フィルタを環状体で構成し、内筒部材に挿入して取り付けることにより、通気フィルタを内筒部材内に容易に取り付けることができる。また、第１貫通孔が周方向に間隔を存して複数設けられている場合においても１つの環状体からなる通気フィルタで全ての第１貫通孔を内側から覆うことができ、第１貫通孔ごとに通気フィルタを設ける場合と比較して、組立工程の簡略化を図ることができる。
【図面の簡単な説明】
【００１２】
【図１】本発明の実施形態の留置針を示す説明図。
【図２】本実施形態の留置針を分解して示す説明図。
【図３】本実施形態の留置針の内筒部材が基端位置に位置した状態を示す断面図。
【図４】本実施形態の留置針の内筒部材が先端位置に位置した状態を示す斜視図。
【図５】本実施形態の留置針の内筒部材が先端位置に位置した状態を示す断面図。
【発明を実施するための形態】
【００１３】
本発明の実施形態の留置針を図１から図５を参照して説明する。
【００１４】
図１の斜視図及び図２の分解図に示すように、本実施形態の留置針１は、内針（図示省略）が挿通可能な外針２と、外針２の基端に設けられた筒状の外針基３と、内針が挿通可能であり、且つ内針が抜かれた後にフラッシュバックの血液が外針基３から漏れることを防止する止血弁４と、外針基３内の空気を外針基３の基端側から外針基３の外へ通過させ外針基３内のフラッシュバックの血液の通過を抑制又は阻止する環状の通気フィルタ１４と、を備える。通気フィルタ１４は、フラッシュバックの血液の通過を抑制し、空気の通過は許容できるように多孔質体（例えば、ポリエチレンの焼結体またはポリウレタン等）などで形成されている。
【００１５】
外針基３内には、円筒状の内筒部材６が配置されている。内筒部材６は、外針基３内で外針基３の先端方向へ移動可能であり、実施形態の説明においては、先端方向へ移動する前の初期の位置を基端位置、先端方向への前進移動が完了した位置を先端位置、として定義する。
【００１６】
止血弁４は、円柱状の弾性部材で形成されており、中央部に先端から基端まで切り込まれた切込部４ａが設けられている。図示省略した内針はこの切込部４ａを通過して外針２に挿通される。また、止血弁４は、内筒部材６内に挿入されている。内筒部材６の先端縁には、止血弁４が先方へ脱落することを防止するための係止部が径方向内方へ突出して設けられている。また、止血弁４の基端側に連なるようにして環状の通気フィルタ１４も内筒部材６内に挿入されている。
【００１７】
外針基３の内周面には、内筒部材６の外径と同一（略同一を含む。少なくともフラッシュバックの血液が通過できないように設定される。）の内径に設定された小径部７と、小径部７よりも先端側に位置し小径部７よりも大径の大径部８とが設けられている。
【００１８】
内筒部材６には、周方向に間隔を存して等間隔に配置され、且つ内筒部材６の外周面と内周面とを連通させる４つの第１貫通孔１７が設けられている。また、内筒部材６には、第１貫通孔１７に対して間隔を存して基端側に４つの第２貫通孔１８が設けられている。第２貫通孔１８も周方向に間隔を存して等間隔に配置されている。
【００１９】
第１貫通孔１７は通気フィルタ１４によって内筒部材６の内側から覆われている。
【００２０】
図３に示すように、内筒部材６が外針基３内で基端位置に位置している場合には、外針基３の内周面と内筒部材６の外周面との間において、第２貫通孔１８と大径部８との連通（接続）が小径部７によって阻止される。また、内筒部材６が基端位置に位置しているときには、外針２及び外針基３内の空気は、外針２からフラッシュバックの血液が流入するときに、第１貫通孔１７及び多孔質体からなる通気フィルタ１４を通って、外針基３の基端開口から排出される。図３の矢印は大径部８内の空気が血液の流入によって排出される流れを示している。
【００２１】
逆に、図４の斜視図及び図５の断面図に示すように、内筒部材６が外針基３内で先端位置に位置している場合には、第２貫通孔１８と大径部８とが接続される。図５の矢印は輸液や薬液などの液体の流れを示している。
【００２２】
第１実施形態の留置針１によれば、内筒部材６が基端位置に位置するときには、内筒部材６の外周面に設けられた第２貫通孔１８が大径部８との接続が小径部７によって阻止され、止血弁４によってフラッシュバックの血液が外針基３からこぼれることを防止することができる。そして、輸液や薬液などの液体を患者に供給するときには、外針基３に接続する雄コネクタ１１などを利用して内筒部材６を押圧して先端位置へ移動させることにより、内筒部材６に設けられた第２貫通孔１８と大径部８とが連通（接続）され、液体が第２貫通孔及び大径部８を介して止血弁４の周りから外針２を通過して患者に供給される。
【００２３】
したがって、従来の留置針のように止血弁４の切込部から液体が供給されることなく、止血弁４の周りから液体が供給されることにより、外針基３の内周面（特に止血弁４側）に残り易いフラッシュバックの血液を患者に供給される液体と共に患者に戻すことができ、外針基３にフラッシュバックの血液が残ることを抑制して、血液の滞留による血栓の発生または雑菌の繁殖、患者などへ不快感を与えることを抑制することができる。
【００２４】
また、第２貫通孔１８によって内筒部材６の内周面と外周面とを連通されているため、外針基３の基端から供給される輸液や薬液などの液体を、内針を挿通可能な内筒部材６の内側の空間も利用して患者に供給することができ、液体供給時の抵抗を軽減させることができる。
【００２５】
また、通気フィルタの取り付け方法としては、第１貫通孔１７に通気フィルタを挿入するなどの様々な取り付け方法が考えられるが、上述したように、通気フィルタ１４を環状体で構成し、内筒部材６に挿入して取り付けることにより、通気フィルタ１４を内筒部材６内に容易に取り付けることができる。また、第１貫通孔１７が周方向に間隔を存して４つ設けられていても１つの環状体からなる通気フィルタ１４で全ての第１貫通孔１７を内側から覆うことができ、第１貫通孔１７ごとに通気フィルタを設ける場合と比較して、組立工程の簡略化を図ることができる。なお、通気フィルタ１４を第１貫通孔１７ごとに挿入するようにしてもよい。これによっても、本発明のフラッシュバックの血液が外針基３内に残り難くすることができるという作用効果を奏することができる。
【００２６】
なお、本実施形態においては、内筒部材６内に止血弁４を設けたものを説明したが、本発明の止血弁はこれに限らず、例えば、内筒部材６の先端縁に先方へ突出する突出部を形成し、この突出部の先端外周面に径方向外方へ膨らむように張り出した膨出部を形成して、この膨出部および内筒部材６の先端開口を通常時は閉塞するように覆う断面Ｃ字状の止血弁を内筒部材６の先端に設けてもよい。
【００２７】
また、本実施形態においては、第２貫通孔１８は、内筒部材６の基端から間隔を存して穿設されているものを説明したが、本発明の第２貫通孔は、内筒部材６の基端まで達して穿設されていてもよい。
【００２８】
また、内筒部材６の内周面に強度向上のためのリブを設けてもよい。また、第１貫通孔及び第２貫通孔は４つに限らず、１つであっても複数であってもよく、また、第１貫通孔と第２貫通孔とで数が異なっていてもよい。
【符号の説明】
【００２９】
１  留置針
２  外針
３  外針基
４  止血弁
４ａ  切込部
６  内筒部材
７  小径部
８  大径部
１１  雄コネクタ
１４  通気フィルタ
１７  第１貫通孔
１８  第２貫通孔
【図１】
2019088725.tif 000003
【図２】
2019088725.tif 000004
【図３】
2019088725.tif 000005
【図４】
2019088725.tif 000006
【図５】
2019088725.tif 000007